(57)【要約】この出願は、ネットワーク装置ベースの通信方法を提供し、ここでは、特定の規則に従ってチャネルリソースが分割される。本方法は、ネットワーク装置によって、少なくとも２つのチャネルを決定するステップであり、少なくとも２つのチャネルにおける２つの隣接するチャネルの中心周波数間の間隔は、サブキャリア間隔の正の整数倍またはリソースブロックＲＢ間隔の正の整数倍であるステップ、および、ネットワーク装置によって、少なくとも２つのチャネルのうち１つを使用することにより通信するステップ、を含む。チャネルリソース分割は、２つの隣接するチャネルの中心周波数間の間隔に基づいて決定され、帯域幅がフレキシブルであるアプリケーションシナリオへの適応を実装している。
2021503833.tif 000002
【特許請求の範囲】
【請求項１】
通信方法であって、
ネットワーク装置によって、少なくとも２つのチャネルを決定するステップであり、前記少なくとも２つのチャネルにおける２つの隣接するチャネルの中心周波数間の間隔は、サブキャリア間隔の正の整数倍またはリソースブロックＲＢ間隔の正の整数倍である、ステップと、
前記ネットワーク装置によって、前記少なくとも２つのチャネルのうち１つを使用することにより、通信するステップと、
を含む、通信方法。
【請求項２】
前記少なくとも２つのチャネルにおける２つの隣接するチャネルの中心周波数間の間隔は、以下の等式
【数１】
2021503833.tif 000034
を満たしており、
【数２】
2021503833.tif 000035
において、
ノミナルチャネル間隔（Ｎｏｍｉｎａｌ  ｃｈａｎｎｅｌ  ｓｐａｃｉｎｇ）は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＳＣＳは、サブキャリア間隔を表し、かつ、
ＬＣＭ（ＢＷＣＲ，ＳＣＳ）は、ＢＷＣＲとＳＣＳの最小公倍数を表している、
請求項１に記載の通信方法。
【請求項３】
前記２つの隣接するチャネルの中心周波数間の間隔は、実装における、等式３乃至等式７のいずれか１つに適合している、
請求項２に記載の通信方法。
【請求項４】
前記少なくとも２つのチャネルにおける２つの隣接するチャネルの中心周波数間の間隔は、以下のいずれかの等式
【数３】
2021503833.tif 000036
または、
【数４】
2021503833.tif 000037
を満たしており、
ノミナルチャネル間隔は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＢＷＲＢは、ＲＢ間隔を表し、かつ、
ＬＣＭ（ＢＷＣＲ，ＢＷＲＢ）は、ＢＷＣＲとＢＷＲＢの最小公倍数を表している、
請求項１に記載の通信方法。
【請求項５】
前記２つの隣接するチャネルの中心周波数間の間隔は、実装における、等式１０乃至等式１２のいずれか１つに適合している、
請求項４に記載の通信方法。
【請求項６】
通信方法であって、
ランダムアクセスを実行するために、端末装置によって、ネットワーク装置からの同期信号を探索するステップと、
前記ネットワーク装置にアクセスするときに、前記端末装置によって、少なくとも１つのチャネル上で通信するステップであり、前記少なくとも１つのチャネルおよび前記ネットワーク装置によって構成されている別の隣接するチャネルそれぞれの中心周波数間の間隔は、サブキャリア間隔の正の整数倍またはリソースブロックＲＢの正の整数倍である、ステップと、
を含む、通信方法。
【請求項７】
前記少なくとも１つのチャネルおよび別の隣接するチャネルそれぞれの中心周波数間の間隔は、以下の等式
【数５】
2021503833.tif 000038
を満たしており、
【数６】
2021503833.tif 000039
において、
ノミナルチャネル間隔（Ｎｏｍｉｎａｌ  ｃｈａｎｎｅｌ  ｓｐａｃｉｎｇ）は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＳＣＳは、サブキャリア間隔を表し、かつ、
ＬＣＭ（ＢＷＣＲ，ＳＣＳ）は、ＢＷＣＲとＳＣＳの最小公倍数を表している、
請求項６に記載の通信方法。
【請求項８】
２つの隣接するチャネルの中心周波数間の前記間隔は、実装における、等式３乃至等式７のいずれか１つに適合している、
請求項７に記載の通信方法。
【請求項９】
前記少なくとも１つのチャネルおよび別の隣接するチャネルそれぞれの中心周波数間の間隔は、以下のいずれかの等式
【数７】
2021503833.tif 000040
または、
【数８】
2021503833.tif 000041
を満たしており、
ノミナルチャネル間隔は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＢＷＲＢは、ＲＢ間隔を表し、かつ、
ＬＣＭ（ＢＷＣＲ，ＢＷＲＢ）は、ＢＷＣＲとＢＷＲＢの最小公倍数を表している、
請求項６に記載の通信方法。
【請求項１０】
２つの隣接するチャネルの中心周波数間の前記間隔は、実装における、等式１０乃至等式１２のいずれか１つに適合している、
請求項９に記載の通信方法。
【請求項１１】
ネットワーク装置であって、
少なくとも２つのチャネルを決定するように構成された、プロセッサであり、前記少なくとも２つのチャネルにおける２つの隣接するチャネルの中心周波数間の間隔は、サブキャリア間隔の正の整数倍またはリソースブロックＲＢ間隔の正の整数倍である、プロセッサと、
少なくとも２つのチャネルのうち少なくとも１つを使用することにより、通信するように構成されている、トランシーバと、
を含む、ネットワーク装置。
【請求項１２】
前記少なくとも２つのチャネルにおける２つの隣接するチャネルの中心周波数間の間隔は、以下の等式
【数９】
2021503833.tif 000042
を満たしており、
【数１０】
2021503833.tif 000043
において、
ノミナルチャネル間隔（Ｎｏｍｉｎａｌ  ｃｈａｎｎｅｌ  ｓｐａｃｉｎｇ）は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＳＣＳは、サブキャリア間隔を表し、かつ、
ＬＣＭ（ＢＷＣＲ，ＳＣＳ）は、ＢＷＣＲとＳＣＳの最小公倍数を表している、
請求項１１に記載のネットワーク装置。
【請求項１３】
前記２つの隣接するチャネルの中心周波数間の間隔は、実装における、等式３乃至等式７のいずれか１つに適合している、
請求項１２に記載のネットワーク装置。
【請求項１４】
前記少なくとも２つのチャネルにおける２つの隣接するチャネルの中心周波数間の間隔は、以下のいずれかの等式
【数１１】
2021503833.tif 000044
または、
【数１２】
2021503833.tif 000045
を満たしており、
ノミナルチャネル間隔は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＢＷＲＢは、ＲＢ間隔を表し、かつ、
ＬＣＭ（ＢＷＣＲ，ＢＷＲＢ）は、ＢＷＣＲとＢＷＲＢの最小公倍数を表している、
請求項１１に記載のネットワーク装置。
【請求項１５】
前記２つの隣接するチャネルの中心周波数間の間隔は、実装における、等式１０乃至等式１２のいずれか１つに適合している、
請求項１４に記載のネットワーク装置。
【請求項１６】
トランシーバおよびプロセッサを含む、端末装置であって、
前記トランシーバは、ランダムアクセスを実行するために、ネットワーク装置からの同期信号を探索するように構成されており、かつ、
前記プロセッサは、前記ネットワーク装置にアクセスするときに、少なくとも１つのチャネル上で通信するために前記トランシーバを制御するように構成されており、前記少なくとも１つのチャネルおよび前記ネットワーク装置によって構成されている別の隣接するチャネルそれぞれの中心周波数間の間隔は、サブキャリア間隔の正の整数倍またはリソースブロックＲＢの正の整数倍である、
端末装置。
【請求項１７】
前記少なくとも１つのチャネルおよび別の隣接するチャネルそれぞれの中心周波数間の間隔は、以下の等式
【数１３】
2021503833.tif 000046
を満たしており、
【数１４】
2021503833.tif 000047
において、
ノミナルチャネル間隔（Ｎｏｍｉｎａｌ  ｃｈａｎｎｅｌ  ｓｐａｃｉｎｇ）は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＳＣＳは、サブキャリア間隔を表し、かつ、
ＬＣＭ（ＢＷＣＲ，ＳＣＳ）は、ＢＷＣＲとＳＣＳの最小公倍数を表している、
請求項１６に記載の端末装置。
【請求項１８】
２つの隣接するチャネルの中心周波数間の前記間隔は、実装における、等式３乃至等式７のいずれか１つに適合している、
請求項１７に記載の端末装置。
【請求項１９】
前記少なくとも１つのチャネルおよび別の隣接するチャネルそれぞれの中心周波数間の間隔は、以下のいずれかの等式
【数１５】
2021503833.tif 000048
または、
【数１６】
2021503833.tif 000049
を満たしており、
ノミナルチャネル間隔は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＢＷＲＢは、ＲＢ間隔を表し、かつ、
ＬＣＭ（ＢＷＣＲ，ＢＷＲＢ）は、ＢＷＣＲとＢＷＲＢの最小公倍数を表している、
請求項１６に記載の端末装置。
【請求項２０】
２つの隣接するチャネルの中心周波数間の前記間隔は、実装における、等式１０乃至等式１２のいずれか１つに適合している、
請求項１９に記載の端末装置。
【発明の詳細な説明】
【技術分野】
【０００１】
この出願は、無線通信技術の分野に関する。そして、特には、無線通信システムにおける通信方法、ネットワーク装置、および端末装置に関する。
【背景技術】
【０００２】
無線通信技術の急速な発展は、周波数リソース（frequency  resource）にひずみをもたらし、アンライセンス（unlicensed）周波数帯域の探究を推進している。3GPPはそれぞれ、ライセンススペクトル（licensed  spectrum）の助けを借りてアンライセンススペクトルリソースが最大限に使用されるように、ライセンス・アシスト・アクセス(License  Assisted  Access、LAA)技術と、リリース-13(Release-13、R-13)およびリリース-14(Release-14、R-14)におけるエンハンスト・ライセンス・アシスト・アクセス(enhanced  LAA、eLAA)技術とを導入している。将来の第5世代(5th-generation、5G)新たな無線(New  Radio、NR)においては、アンライセンススペクトルおよびフレキシブル帯域幅の利用も、また、サービス要件を満たし、かつ、ユーザ体験を向上させるために不可欠な技術的手段である。この観点で、帯域幅分割（bandwidth  division）方法が導入される必要がある。
【発明の概要】
【０００３】
この出願の実施形態は、通信方法、ネットワーク装置、および端末装置を提供し、そして、その中で帯域幅がフレキシブルであるアプリケーションシナリオに適応するために、チャネルリソース分割方法を提案する。
【０００４】
上記の目的を達成するために、この出願の実施形態は、以下の技術的ソリューションを提供する。
【０００５】
第１態様に従って、この出願は、ネットワーク装置ベースの通信方法を提供する。ここでは、特定の規則に従ってチャネルリソースが分割される。本方法は、ネットワーク装置によって、少なくとも２つのチャネルを決定するステップであり、少なくとも２つのチャネルにおける２つの隣接するチャネルの中心周波数間の間隔は、サブキャリア間隔の正の整数倍またはリソースブロック（resource  block、RB）間隔の正の整数倍であるステップ、および、ネットワーク装置によって、少なくとも２つのチャネルのうち１つを使用することにより、通信するステップ、を含む。
【０００６】
既定の規則は、２つの隣接するチャネルの中心周波数間の間隔が、チャネル帯域幅およびサブキャリア間隔に基づいて決定されるか、または、２つの隣接するチャネルの中心周波数間の間隔が、チャネル帯域幅およびリソースブロックRB間隔に基づいて決定される、というものである。
【０００７】
前述の規定の規則は、チャネル帯域幅およびサブキャリア間隔、または、チャネル帯域幅およびRB間隔が動的に変化するシナリオに適用可能であり、その結果、よりフレキシブルなリソース構成が実装され得る。
【０００８】
第２態様に従って、この出願は、端末装置ベースの通信方法を提供する。本方法は、ランダムアクセスを実行するために、端末装置によって、ネットワーク装置からの同期信号を探索するステップ、および、ネットワーク装置にアクセスするときに、端末装置によって、少なくとも１つのチャネル上で通信するステップ、を含む。ここで、少なくとも１つのチャネルおよびネットワーク装置によって構成されている別の隣接するチャネルそれぞれの中心周波数間の間隔は、サブキャリア間隔の正の整数倍またはリソースブロックRBの正の整数倍である。
【０００９】
可能な設計において、少なくとも２つのチャネルにおける２つの隣接するチャネルの中心周波数間の間隔は、以下の等式
【数１】
2021503833.tif 000003
を満たしており、
【数２】
2021503833.tif 000004
である。
【００１０】
ノミナルチャネル間隔（Nominal  channel  spacing）は２つのチャネルの中心周波数間の間隔を表し、ＢＷｃｈａｎｎｅｌ（１）およびＢＷｃｈａｎｎｅｌ（２）は２つのキャリアの帯域幅を別々に表し、ＢＷＣＲは、チャネルラスタを表し、ＳＣＳはサブキャリア間隔を表し、かつ、ＬＣＭ（ＢＷＣＲ，ＳＣＳ）は、ＢＷＣＲとＳＣＳの最小公倍数を表している。
【００１１】
別の可能な設計において、２つの隣接するチャネルの中心周波数間の間隔は、以下の式のいずれかを満たしている。
【数３】
2021503833.tif 000005
または、
【数４】
2021503833.tif 000006
または、
【数５】
2021503833.tif 000007
または、
【数６】
2021503833.tif 000008
または、
【数７】
2021503833.tif 000009
である。
【００１２】
さらに別の可能な設計において、少なくとも２つのチャネルにおける２つの隣接するチャネルの中心周波数間の間隔は、以下の等式を満たしている。
【数８】
2021503833.tif 000010
または、
【数９】
2021503833.tif 000011
である。
【００１３】
ノミナルチャネル間隔は２つのチャネルの中心周波数間の間隔を表し、ＢＷｃｈａｎｎｅｌ（１）およびＢＷｃｈａｎｎｅｌ（２）は２つのキャリアの帯域幅を別々に表し、ＢＷＣＲはチャネルラスタを表し、ＢＷＲＢはRB間隔を表し、かつ、ＬＣＭ（ＢＷＣＲ，ＢＷＲＢ）はＢＷＣＲとＢＷＲＢの最小公倍数を表している。
【００１４】
可能な設計において、２つの隣接するチャネルの中心周波数間の間隔は、以下の式のいずれかを満たしている。
【数１０】
2021503833.tif 000012
または、
【数１１】
2021503833.tif 000013
または、
【数１２】
2021503833.tif 000014
である。
【００１５】
第３態様に従って、この出願は、ネットワーク装置を提供する。ネットワーク装置は、プロセッサ、および、バスを使用することによりプロセッサに接続されているトランシーバを含む。ここでは、少なくとも２つのチャネルが決定される。そして、少なくとも２つのチャネルにおける２つの隣接するチャネルの中心周波数間の間隔は、サブキャリア間隔の正の整数倍またはリソースブロックRB間隔の正の整数倍である。そして、トランシーバは、少なくとも２つのチャネルのうち少なくとも１つを使用することにより、通信するように構成されている。
【００１６】
第４態様に従って、この出願の実施形態は、通信装置を提供する。同期信号送信装置は、前述の方法の実施形態において、ネットワーク装置を実装する機能を有している。本機能は、ハードウェアによって実装されてよく、または、対応するソフトウェアを実行するハードウェアによって実装されてよい。ハードウェアまたはソフトウェアは、前述の機能に対応する１つまたはそれ以上のモジュールを含んでいる。
【００１７】
第５態様に従って、この出願の実施形態は、端末装置を提供する。端末装置は、トランシーバおよびプロセッサを含む。ここで、トランシーバは、ランダムアクセスを実行するためにネットワーク装置からの同期信号を探索するように構成されている。プロセッサは、ネットワーク装置にアクセスするときに少なくとも１つのチャネルにおいて通信するためにトランシーバを制御するように構成されている。ここで、少なくとも１つのチャネルおよびネットワーク装置によって構成されている別の隣接するチャネルそれぞれの中心周波数間の間隔は、サブキャリア間隔の正の整数倍またはリソースブロックRBの正の整数倍である。
【００１８】
第６態様に従って、この出願の実施形態は、通信装置を提供する。同期信号送信装置は、前述の方法の実施形態においてネットワーク装置を実装する機能を有している。本機能は、ハードウェアによって実装されてよく、または、対応するソフトウェアを実行するハードウェアによって実装されてよい。ハードウェアまたはソフトウェアは、前述の機能に対応する１つまたはそれ以上のモジュールを含んでいる。
【００１９】
第７態様に従って、この出願の実施形態は、命令を含むコンピュータで読取り可能な記憶媒体を提供する。命令がコンピュータ上で実行されるときに、コンピュータは、第１態様または第２態様に従って、方法を実行することを可能にする。
【００２０】
第８態様に従って、命令を含むコンピュータプログラム製品が提供される。コンピュータプログラム製品がコンピュータ上で実行されるときに、コンピュータは、第１態様または第２態様に従って、方法を実行することが可能である。
【００２１】
加えて、第２態様の任意の設計方法によってもたらされる第８態様に対する技術的効果については、第１態様の異なる設計方法によってもたらされる技術的効果を参照のこと。詳細は、ここにおいて再度説明されない。
【００２２】
本発明のこれらの態様または他の態様は、以下の実施形態の説明において、より明確であり、かつ、より理解可能である。
【図面の簡単な説明】
【００２３】
【図１】図1は、この出願の一つの実施形態に従った、可能なネットワークアーキテクチャの模式図である
【図２】図2は、この出願の一つの実施形態に従った、通信プロシージャの簡略化された模式図である。
【図３】図3は、この出願の一つの実施形態に従った、方法の模式的なインタラクションフローチャートである。
【図４】図4は、この出願の一つの実施形態に従った、チャネル分割の簡略化された模式図である。
【図５】図5は、この出願の別の実施形態に従った、チャネル分割の簡略化された模式図である。
【図６】図6は、この出願の別の実施形態に従った、チャネル分割の簡略化された模式図である。
【図７】図7は、この出願の別の実施形態に従った、チャネル分割の簡略化された模式図である。
【図８】図8は、この出願の一つの実施形態に従った、ネットワーク装置の簡略化された模式図である。
【図９】図9は、この出願の一つの実施形態に従った、端末装置の簡略化された模式図である。
【発明を実施するための形態】
【００２４】
以下に、添付の図面を参照して、この出願において提供されるリソース表示方法を説明する。
【００２５】
図1は、この出願の実施形態が適用されるネットワークアーキテクチャの簡略化された模式図である。ネットワークアーキテクチャは、無線通信システムのネットワークアーキテクチャであってよく、そして、ネットワーク装置および端末装置を含んでよい。ネットワーク装置および端末装置は、無線通信技術を使用することにより接続されている。図1に示される端末装置およびネットワーク装置の数量および形態は、この出願の実施形態に対して限定を構成するものではないことが留意されるべきである。異なる実施形態においては、１つのネットワーク装置が、１つまたはそれ以上の端末装置に接続され得る。ネットワーク装置は、さらに、コアネットワーク装置に接続されてよい。そして、コアネットワーク装置は、図1において示されていない。
【００２６】
この出願の実施形態において言及されている無線通信システムは、これらに限定されるわけではないが、ナローバンド・インターネットオブシングス（narrow  band-internet  of  things、NB-IoT）、移動通信用グローバルシステム(global  system  for  mobile  system、GSM)、GSMエボリューションのための拡張データレート(enhanced  data  rate  for  GSM  evolution、EDGE)システム、広帯域符号分割多重アクセス(wideband  code  division  multiple  access、WCDMA)システム、符号分割多重アクセス2000(code  division  multiple  access、CDMA2000)システム、時分割同期符号分割多重アクセス(time  division-synchronization  code  division  multiple  access、TD-SCDMA)システム、ロングタームエボリューション(long  term  evolution、LTE)システム、第5世代移動通信システム、および将来の移動通信システムを含む。
【００２７】
この出願の実施形態において、前述のネットワーク装置は、端末装置に対して無線通信機能を提供するために無線アクセスネットワークにおいて展開されている装置である。ネットワーク装置は、これらに限定されるわけではないが、基地局(Base  Station、BS)、ネットワークコントローラ、送受信ポイント(transmission  and  reception  point、TRP)、モバイル・スイッチングセンタ（mobile  switching  center）、Wi-Fiにおける無線アクセスポイント、等を含む。例えば、無線チャネルを通じて端末装置と直接的に通信する装置は、一般的に基地局である。基地局は、マクロ基地局、マイクロ基地局、中継局（relay  point）、アクセスポイント、リモート無線装置（Remote  Radio  Unit、RRU）等を種々の形態で含み得る。確かに、端末装置との無線通信は、代替的に、無線通信機能を有する別のネットワーク装置によって実行されてよい。このこと、この出願において一意に限定されるものではない。異なるシステムにおいて、基地局機能を持つデバイスは、異なる名前を有し得ることに留意すべきである。例えば、LTEネットワークにおいて、デバイスは、LTE無線基地局(evolved  NodeB、eNB、または、eNodeB)として参照され、第3世代(第3世代、3G)ネットワークにおいて、デバイスは、NodeB
(NodeB)などと呼ばれ、そして、5Gネットワークにおいて、デバイスは、5G  gNB(NR  NodeB、gNB)として参照される。
【００２８】
端末装置は、また、ユーザ装置(user  equipment、UE)、移動局(mobile  station、MS)、移動端末(mobile  terminal、MT)、等としても参照される。そして、ユーザに音声及び／又はデータ通信を提供する装置、例えば、ハンドヘルド装置、車載装置、ウェアラブル装置、または無線接続機能を有しているコンピューティング装置、もしくは無線モデムに接続された別の処理装置である。現在、例えば、端末装置は、移動電話(mobile  phone)、タブレット、ノートブックコンピュータ、パームトップコンピュータ、モバイルインターネット装置(mobile  internet  device、MID)、ウェアラブル装置、仮想現実(virtual  reality、VR)装置、拡張現実(augmented  reality)装置、産業用制御無線端末(industrial  control)、セルフドライブにおける無線端末(self-driving)、遠隔医療手術のための無線端末(remote  medical  surgery)、スマートグリッドにおける無線端末(smart  grid)、輸送安全における無線端末(transportation  safety)、スマートシティにおける無線端末(smart  city)、スマートホームにおける無線端末(smart  home)、等である。
【００２９】
この出願において、名詞「ネットワーク（“network”）」および「システム（“system”）」は互換的に使用されてよく、そして、名詞「チャネル（“channel”）」および「キャリア（“carrier”）」は互換的に使用されてよい。当業者であれば、これらの名詞の意味を理解し得る。加えて、この明細書における英語の略語についてLTEシステムが参照され、そして、ネットワークの進化と伴に英語の略語は変化し得る。具体的な進化については、進化標準の定義を参照のこと。
【００３０】
図2は、無線通信プロセスにおける、ネットワーク装置によってチャネルリソースを構成するための方法の簡略化された模式的フローチャートである。
【００３１】
ネットワーク装置は、チャネルを分割し、そして、少なくとも２つのチャネルを決定する。ここで、決定された少なくとも２つのチャネルにおける２つの隣接する(adjacent)中心周波数間の間隔（spacing）は、サブキャリア間隔の正の整数倍またはRB間隔の正の整数倍である。次に、ネットワーク装置は、セルの確立または再構成プロセスを実行する。ネットワーク装置は、決定された少なくとも２つのチャネルに基づいて対応する周波数帯域を選択し、そして、ネットワーク装置によってカバーされるセルを構成するために、同期信号、ブロードキャスト信号、システムメッセージ、等を決定する。セルの確立または再構成が完了した後で、ネットワーク装置は、同期信号を送信し得る。端末装置は、同期信号を探索し、そして、受信した後で、同期を実行し、そして、次いで、ネットワーク装置と通信する。
【００３２】
次いで、図3は、この出願の一つの実施形態に従った、チャネルリソース構成方法の模式的なフローチャートである。
【００３３】
ステップ301:ネットワーク装置は、少なくとも２つのチャネルを決定する。ここで、少なくとも２つのチャネルにおける２つの隣接するチャネルの中心周波数間の間隔は、サブキャリア間隔の正の整数倍またはリソースブロックRB間隔の正の整数倍である。
【００３４】
中心周波数(center  frequency)は、チャネルに対応するスペクトルリソース（spectrum  resource）の中心であり、そして、また、中心周波数としても参照される。チャネルの中心周波数は、チャネルラスタ(channel  raster)の整数倍であり、そして、チャネルラスタは、チャネル分割の最小粒度（minimum  granularity）である。異なる例において、チャネルの中心周波数の値は異なっている。一つの実施形態において、２つの隣接するチャネルの中心周波数間の間隔は、サブキャリア間隔の整数倍である。別の例において、２つの隣接するチャネルの中心周波数間の間隔は、リソースブロック(resource  block、RB)間隔の整数倍である。
【００３５】
この実施形態において、チャネルの中心周波数は、標準プロトコルにおいて既に定義されており、または、チャネルの構成が、標準において直接的に定義されている。ネットワーク装置が少なくとも２つのチャネルを決定する方法は、セルの初期化または再構成の最中に標準プロトコルにおける定義に基づいて、ネットワーク装置がチャネル分割を決定し得ること、または、標準において定義されたチャネル構成を直接的に使用し得ることである。加えて、チャネル構成は、少なくとも２つのチャネルにおける２つの隣接するチャネルの中心周波数間の間隔が、サブキャリア間隔の正の整数倍またはRB間隔の正の整数倍であることに従う。例えば、チャネルの中心周波数は、セット（set）の形態で表現されてよく、そして、詳細が以下で説明される。
【００３６】
別の実施形態において、ネットワーク装置が少なくとも２つのチャネルを決定する方法は、各チャネルによって占有される周波数帯域、中心周波数、等を動的に割り当てるように、ネットワーク装置がチャネルを分割し得ることである。ネットワーク装置は、既定の中心周波数、例えば、以下で説明されるように設定された中心周波数、から中心周波数を選択し、そして、チャネル分割を実行し得る。チャネル分割は、少なくとも２つのチャネルにおける２つの隣接するチャネルの中心周波数間の間隔がサブキャリア間隔の正の整数倍またはRB間隔の正の整数倍である、という原理に従う。
【００３７】
ステップ302:ネットワーク装置は、決定された少なくとも２つのチャネルのうち少なくとも１つを使用することによって通信し、そして、信号を送信する。
【００３８】
このプロセスにおいて、ネットワーク装置は、決定された少なくとも２つのチャネルのうち少なくとも１つを選択し得る。別の言葉で言えば、ネットワーク装置は、決定された少なくとも２つのチャネルから１つのチャネルを選択してよく、または、ネットワーク装置は、決定された少なくとも２つのチャネルから複数のチャネルを選択してよい。前述の構成が完了した後で、ネットワーク装置は、信号、例えば、同期信号を送信する。
【００３９】
ネットワーク装置は、１つの端末装置について１つまたはそれ以上のチャネルを決定してよく、または、複数の端末について１つまたはそれ以上のチャネルを別々に決定してよい。
【００４０】
ステップ303:端末装置は、ランダムアクセスを実行するために、ネットワーク装置からの同期信号を探索する。
【００４１】
ステップ304:端末装置は、ネットワーク装置にアクセスするときに、少なくとも１つのチャネルにおいてネットワーク装置と通信する。ここで、少なくとも１つのチャネルおよびネットワーク装置によって構成される別の隣接するチャネルそれぞれの中心周波数間の間隔は、サブキャリア間隔の正の整数倍またはリソースブロックRBの正の整数倍である。
【００４２】
一つの実施形態においては、２つの隣接するチャネルの中心周波数間のものであり、かつ、ネットワーク装置によって決定される、間隔が、サブキャリア間隔の整数倍である例が、説明のために使用される。２つの隣接するチャネルの中心周波数間のものであり、かつ、ネットワーク装置により決定される、間隔(ノミナルチャネル間隔（Nominal  channel  spacing）)は、以下の等式を満たしている。
【数１３】
2021503833.tif 000015
等式１
【００４３】
ＢＷｃｈａｎｎｅｌ（１）およびＢＷｃｈａｎｎｅｌ（２）は２つの隣接するチャネルの帯域幅を別々に表し、ＳＣＳはサブチャネル間隔を表し、ＢＷＣＲはチャネルラスタを表し、そして、ＬＣＭ（ＢＷＣＲ，ＳＣＳ）はＢＷＣＲとＳＣＳの最小公倍数を表している。
【００４４】
別の実施形態において、２つの隣接するチャネルの中心周波数間の間隔は、さらに以下の等式を満たしている。
【数１４】
2021503833.tif 000016
等式２
【００４５】
２つの隣接するチャネルの中心周波数間のものであり、かつ、ネットワーク装置によって決定される、間隔が、等式１を満たしている例が、さらなる説明のために以下で使用されている。２つの隣接するチャネルの中心周波数間のものであり、かつ、ネットワーク装置によって決定される、間隔が、等式２を満たしている適用方法は、等式１の場合と類似していることが理解されよう、そして、詳細は、再度説明されない。この実施形態においては、リソース構成において、システムによって中心として（as  a  center）サポートされる最大帯域幅に対応する中心周波数を使用することにより分割が実行される。別のチャネルについては、別のチャネルに対応する伝送帯域幅（transmission  bandwidth）が、別のチャネルの中心周波数によって決定される。
【００４６】
チャネルラスタが100KHz(ＢＷＣＲ＝１００ＫＨｚ)であり、かつ、サブキャリア間隔が15KHz、30KHz、または60KHzのいずれかである場合に、２つの隣接するチャネルの中心周波数間のものであり、かつ、ネットワーク装置によって決定される、間隔は、以下の等式を満たしている。
【数１５】
2021503833.tif 000017
等式３
【００４７】
システムサブキャリア間隔が15kHzであり、かつ、20MHzまたは40MHzのフレキシブル帯域幅伝送がサポートされている例が、説明のために使用される。システムによってサポートされる最大帯域幅は40MHzであることが学習され得る。いくつかの実施形態において、RB分割は、システムによってサポートされる最大システム帯域幅に基づいて実行される。図4を参照すると、一つの例において、40MHzの帯域幅を有するチャネルは、約222のRBに対応し得る。ガード間隔（guard  spacing）が構成された後で、40MHzの帯域幅に対応する伝送帯域幅は216のRBである。216のRBは、チャネル中心周波数Ｍの２つの側において対称的に分布しており、そして、ガード間隔が、システム帯域幅の２つの端に分布している。説明を容易にするために、以下の、かつ、添付の図面においては、RBの量（quantity）がN_RBで表わされ、そして、前述の216のRBは、RB  0からRB  215まで番号が付けられている。この出願において提供される実施態様において、RB分割および番号付けは、全て、説明のための例であることが理解されるだろう。必要なガード間隔が構成されるときに、伝送帯域幅のために使用されるRBの位置は、例に対してオフセットされてよく、そして、例における構成方法に限定されるものではない。
【００４８】
ネットワーク装置が、40MHzのシステム帯域幅を20MHzの帯域幅を有する２つの隣接するチャネルに分割することを決定する場合に、２つの隣接するチャネルの中心周波数間の間隔は19.8MHzであり、等式３を満たしている。図4に示されるように、各チャネルに対応する伝送帯域幅は106のRBであり、RB#0からRB#105まで、および、RB#110からRB#215までである。従って、１つのチャネルの中心周波数位置が決定された後で、別の隣接するチャネルの中心周波数位置が決定されてよい。
【００４９】
次に、システムサブキャリア間隔が30kHzであり、かつ、20MHz、40MHz、60MHz、80MHz、100MHzのフレキシブル帯域幅において伝送をサポートするシステムについて、システムによってサポートされる最大帯域幅は100MHzである。必要なガード間隔が構成された後で、100MHzの帯域幅に対応する伝送帯域幅は、273のRBであり得る。273のRBは、チャネル中心周波数の両側に対称的に分布し、ガード間隔はシステム帯域幅の両側に分布し、そして、中心周波数はRB#136に配置される。
【００５０】
本システムは、20MHz、40MHz、60MHz、80MHz、または100MHzのフレキシブル帯域幅の伝送をサポートし得る。図5は、異なる帯域幅を有するチャネルが結合される場合のリソース構成、または、異なる帯域幅を有する複数のチャネルへとシステム帯域幅が分割される場合のリソース構成を示している。
【００５１】
（１）ネットワーク装置は、20MHzの帯域幅を有する５つのチャネルを決定し得る。図5を参照すると、20MHzの帯域幅を有する５つのチャネルに対して必要なガード間隔が構成された後で、各チャネルの伝送帯域幅は52のRBであり、中央のチャネル3の中心周波数は、100MHzの最大システム帯域幅の中心周波数とオーバーラップしている。２つの隣接するチャネルの中心周波数間の間隔は19.8MHzであり、前述の等式３の要件を満たしている。例えば、中心周波数は中心にあり、チャネル1の伝送帯域幅がRB#0からRB#51までであり、チャネル2の伝送帯域幅がRB#55からRB#106までであり、チャネル3の伝送帯域幅がRB#110からRB#161までであり、チャネル4の伝送帯域幅がRB#165からRB#216までであり、そして、チャネル5の伝送帯域幅がRB#220からRB#271までである。RB#52からRB#54まで、RB#107からRB#109まで、RB#161からRB#164まで、および、RB#217からRB#219までは、ガード間隔である。
【００５２】
（２）ネットワーク装置は、20MHzの帯域幅を有する１つのチャネルおよび40MHzの帯域幅を有する２つのチャネルを決定し得る。この実施形態においては、20MHzの帯域幅を有するチャネルの前述の中心周波数を参照し得る。40MHzの帯域幅を有するチャネル6と20MHzの帯域幅を有する隣接チャネル1との中心周波数間の間隔が30MHzであり、そして、40MHzの帯域幅を有するチャネル6と40MHzの帯域幅を有するチャネル7との間隔が39.3MHzであり、これは、前述の等式３の要件を満たしている。例えば、中心周波数は中心にある。必要なガード間隔が構成された後で、チャネル1の伝送帯域幅はRB#0からRB#51までであり、チャネル6の伝送帯域幅はRB#56からRB#161までであり、そして、チャネル7の伝送帯域幅はRB#166からRB#271までである。
【００５３】
（３）ネットワーク装置は、20MHzの帯域幅を有するチャネルおよび80MHzの帯域幅を有するチャネルを決定し得る。この実施形態においては、20MHzの帯域幅を有するチャネルの前述の中心周波数を参照し得る。80MHzの帯域幅を有するチャネル8と20MHzの帯域幅を有する隣接チャネル1との中心周波数間の間隔は49.8MHzであり、これは、前述の等式３の要件を満たしている。例えば、中心周波数は中心にある。必要なガード間隔が構成された後で、チャネル1の伝送帯域幅はRB#0からRB#51までであり、そして、チャネル8の伝送帯域幅はRB#56からB#272である。
【００５４】
別の実施形態において、システムは、さらに、他の帯域幅のチャネルの組み合わせを決定し得ることが理解されよう。例えば、システムは、40MHzの帯域幅を有するチャネルおよび60MHzの帯域幅を有するチャネルをサポートし得る。種々のチャネルの組み合わせにおいて、２つの隣接するチャネルの中心周波数間の間隔は、等式３を満たしている。加えて、別の実施形態においては、必要なガード間隔の要件が満たされた後で、前述のチャネルそれぞれの中心周波数が、中心周波数に対してオフセットされてよい。これに応じて、伝送帯域幅の位置も、また、オフセットされ得る。
【００５５】
この出願は、前述のチャネルの組み合わせにおいて異なる帯域幅を有するチャネルの相対的な位置について限定を課すものではなく、そして、前述の組み合わせに限定されるものではないことに留意すべきである。他の構成方法は、ここにおいて、一つずつ説明されない。
【００５６】
チャネルラスタが180KHz(ＢＷＣＲ＝１８０KHｚ)であり、かつ、サブキャリア間隔が15KHz、30KHz、60KHzのいずれかである場合に、２つの隣接するチャネルの中心周波数間のものであり、かつ、ネットワーク装置によって決定される、間隔は、以下の等式を満たしている。
【数１６】
2021503833.tif 000018
等式４
【００５７】
システムが20MHz、40MHz、60MHz、80MHz、または100MHzのフレキシブル帯域幅における伝送をサポートする一つの例が、説明のために使用される。リソース構成においては、中心としてシステムによってサポートされる最大キャリア帯域幅に対応する中心周波数を使用して、分割が実行される。より小さいキャリアについては、各中心周波数が決定された後で、より小さいキャリアに対応する伝送帯域幅が決定される。
【００５８】
（１）ネットワーク装置は、20MHzの帯域幅を有する５つのチャネルを決定し得る。そして、２つの隣接するチャネルの中心周波数間の間隔は19.98MHzであり、等式４の要件を満たしている。20MHzの帯域幅を有する５つのチャネルに対して必要なガード間隔が構成された後で、各チャネルの伝送帯域幅に対応するRBが決定され得る。例えば、等式２を満たしているシステムにおいて、２つの隣接するチャネルの中心周波数間の間隔は20.16MHzである。
【００５９】
（２）ネットワーク装置は、20MHzの帯域幅を有する１つのチャネルおよび40MHzの帯域幅を有する２つのチャネルを決定し得る。ここで、20MHzの帯域幅を有するチャネルの中心周波数と40MHzの帯域幅を有する隣接チャネルとの間の間隔は29.88MHzである。40MHzの帯域幅を有する２つの隣接するチャネルの中心周波数間の間隔は39.96MHzであり、これは等式４の要件を満たしている。例えば、等式２を満たしているシステムにおいて、20MHzの帯域幅を有するチャネルと40MHzの帯域幅を有する隣接チャネルの中心周波数間の間隔は30.06MHzであり、そして、40MHzの帯域幅を有する２つの隣接チャネルの中心周波数間の間隔は40.14MHzである。
【００６０】
（３）ネットワーク装置は、20MHzの帯域幅を有するチャネルおよび80MHzの帯域幅を有するチャネルを決定し得る。ここで、２つのチャネルの中心周波数間の間隔は49.86MHzであり、そして、等式４の要件を満たしている。例えば、等式２の要件を満たしているシステムにおいて、20MHzの帯域幅を有するチャネルおよび80MHzの帯域幅を有する隣接チャネルの中心周波数間の間隔は50.04MHzである。
【００６１】
（４）100MHzのシステム帯域幅はさらに、別の方法で分割され得る。表4を参照すると、フレキシブル帯域幅における別の分割方法が、一つの例として説明されている。
【表１】
2021503833.tif 000019
【００６２】
前述のチャネル分割方法は、単なる説明のための一つの例にすぎないことが理解されよう。前述の方法が適用される場合には、別の分割方法が、さらに決定され得る。このことは、この出願において限定されるものではない。
【００６３】
さらに別の実施形態においては、この出願において提供されるリソース構成方法が、高周波シナリオに対してさらに適用され得る。チャネルラスタが720KHz(ＢＷＣＲ＝７２０ＫＨｚ)である場合に、２つの隣接するチャネルのキャリアの中心周波数間の間隔は、前述の等式２または等式３の要件を満たしている。以下では、異なるサブキャリア間隔を説明するための一つの例として、等式２を使用する。
【００６４】
システムサブキャリア間隔が240KHzの場合に、２つの隣接するチャネルの中心周波数間のものであり、かつ、ネットワーク装置によって決定される、間隔は、以下の等式を満たしている。
【数１７】
2021503833.tif 000020
等式５
【００６５】
システムサブキャリア間隔が480KHzの場合に、隣接する２つのチャネルの中心周波数間のものであり、かつ、ネットワーク装置によって決定される、間隔は、以下の等式を満たしている。
【数１８】
2021503833.tif 000021
等式６
【００６６】
システムサブキャリア間隔が960KHzの場合、に隣接する２つのチャネルの中心周波数間のものであり、かつ、ネットワーク装置によって決定される、間隔は、以下の等式を満たしている。
【数１９】
2021503833.tif 000022
等式７
【００６７】
例えば、システム帯域幅は2.16GHzであり、帯域幅利用率は88%であり、そして、伝送帯域幅は1.9008GHzである。
【００６８】
例えば、サブキャリア間隔は480KHzであり、そして、ネットワーク装置は400MHzの帯域幅を有する５つのチャネルを決定する。例えば、図6を参照すると、1.9008GHzの伝送帯域幅は、330のRBに対応している。ガード間隔が構成されていない場合に、400MHzの帯域幅を有する各チャネルは、66のRBに対応している。ガード間隔が構成される場合に、400MHzの帯域幅を有する各チャネルに対応する伝送帯域幅は66のRBより小さく、そして、構成されたガード間隔のサイズに依存している。データ伝送に使用される伝送帯域幅は、例えば、65のRB、64のRB、または60のRBであり得る。400MHzの帯域幅を有する５つのチャネルが決定される場合に、２つの隣接するチャネルの中心周波数間のものであり、かつ、ネットワーク装置によって決定される、間隔は、380.16MHzであり、これは、等式６の要件を満たしている。例えば、等式２を満たしているシステムにおいて、２つの隣接するチャネルの中心周波数間の間隔は381.6MHzである。
【００６９】
次に、２つのチャネルの中心周波数間のものであり、かつ、ネットワーク装置によって決定される、間隔が、RB間隔(または、RB帯域幅として理解され得るもの)の整数倍である、一つの例が説明のために使用される。２つのチャネルの中心周波数間のものであり、かつ、ネットワーク装置によって決定される、間隔は、以下の等式を満たしている。
【数２０】
2021503833.tif 000023
等式８
【００７０】
ＢＷｃｈａｎｎｅｌ（１）およびＢＷｃｈａｎｎｅｌ（２）は２つのキャリアの帯域幅を別々に表し、ＢＷＣＲはチャネルラスタを表し、ＢＷＲＢはRB間隔を表し、そして、ＬＣＭ（ＢＷＣＲ，ＢＷＲＢ）はＢＷＣＲとＢＷＲＢの最小公倍数を表している。
【００７１】
代替的に、２つの隣接するチャネルの中心周波数間の間隔は、以下の等式を満たしている。
【数２１】
2021503833.tif 000024
等式９
【００７２】
２つの隣接するチャネルの中心周波数間のものであり、かつ、ネットワーク装置によって決定される、間隔が、等式１を満たしている、一つの例が、さらなる説明のために以下で使用される。２つの隣接するチャネルの中心周波数間のものであり、かつ、ネットワーク装置によって決定される、間隔が、等式２を満たしている適用方法は、等式１における方法と類似しており、そして、詳細は再度説明されていないことが、理解されよう。
【００７３】
チャネルラスタが100KHz(ＢＷＣＲ＝１００KHｚ)であり、かつ、サブキャリア間隔が15KHzの場合に、RB間隔は、ＢＷＲＢ＝15KHz*12=180KHzである。そして、２つの隣接するチャネルの中心周波数間のものであり、かつ、ネットワーク装置によって決定される、間隔は、以下の等式を満たしている。
【数２２】
2021503833.tif 000025
等式１０
【００７４】
チャネルラスタが100KHz(ＢＷＣＲ＝１００KHｚ)であり、かつ、サブキャリア間隔が30KHzの場合に、RB間隔は、ＢＷＲＢ＝30KHz*12=360KHzである。そして、２つの隣接するチャネルの中心周波数間のものであり、かつ、ネットワーク装置によって決定される、間隔は、以下の等式を満たしている。
【数２３】
2021503833.tif 000026
等式１１
【００７５】
チャネルラスタが100KHz(ＢＷＣＲ＝１００KHｚ)であり、かつ、サブキャリア間隔が60KHzの場合に、RB間隔は、ＢＷＲＢ＝60KHz*12=720KHzである。そして、２つの隣接するチャネルの中心周波数間のものであり、かつ、ネットワーク装置によって決定される、間隔は、以下の等式を満たしている。
【数２４】
2021503833.tif 000027
等式１２
【００７６】
サブキャリア間隔が30KHzであり、そして、20MHz、40MHz、60MHz、80MHz、または100MHzのフレキシブル帯域幅の伝送がサポートされている一つの例が、説明のために使用される。図7を参照すると、ガード間隔が構成された後で、20MHzの帯域幅を有するチャネルは52のRBに対応し、40MHzの帯域幅を有するチャネルは106のRBに対応し、60MHzの帯域幅を有するチャネルは162のRBに対応し、80MHzの帯域幅を有するチャネルは217のRBに対応し、そして、100MHzの帯域幅を有するチャネルは273のRBに対応している。説明を容易にするために、273のRBには、RB#0からRB#272までの番号が付けられ、そして、100MHzの帯域幅を有するチャネルの中心周波数がRB#136に配置されている。
【００７７】
（１）ネットワーク装置は、20MHzの帯域幅を有する５つのチャネルを決定し得る。図7を参照すると、20MHzの帯域幅を有する５つのチャネルに対して必要なガード間隔が構成された後で、各チャネルの伝送帯域幅は52のRBであり、中間のチャネルの中心周波数は、100MHzの最大システム帯域幅の中心周波数とオーバーラップしている。２つの隣接するチャネルの中心周波数間の間隔は19.8MHzであり、これは、前述の等式１０の要件を満たしている。例えば、中心周波数は中心にある。ガード間隔が構成された後で、５つのチャネルの伝送帯域幅は、それぞれに、RB#0からRB#51まで、RB#55からRB#106まで、RB#110からRB#161まで、RB#165からRB#216まで、および、RB#220からB#271まで、である。別の実施形態においては、等式８を満たしているシステムにおいて、２つの隣接するチャネルの中心周波数間の間隔は21.6MHzである。
【００７８】
（２）ネットワーク装置は、20MHzの帯域幅を有する１つのチャネルおよび40MHzの帯域幅を有する２つのチャネルを決定し得る。ここで、20MHzの帯域幅を有するチャネルの中心周波数と40MHzの帯域幅を有する隣接チャネルとの間の間隔は29.7MHzである。40MHzの帯域幅を有する２つの隣接するチャネルの中心周波数間の間隔は39.6MHzであり、これは等式１０の要件を満たしている。例えば、中心周波数は中心にある。ガード間隔が構成された後で、３つのチャネルの伝送帯域幅は、それぞれに、RB#0からRB#51まで、RB#55からRB#160まで、および、RB#165からRB#270まで、である。別の実施形態においては、等式８を満たしているシステムにおいて、20MHzの帯域幅を有するチャネルと40MHzの帯域幅を有する隣接チャネルの中心周波数間の間隔は31.5MHzであり、かつ、２つの隣接40MHzチャネルの中心周波数間の間隔は41.4MHzである。
【００７９】
（３）ネットワーク装置は、20MHzの帯域幅を有するチャネルおよび80MHzの帯域幅を有するチャネルを決定し得る。ここで、２つのチャネルの中心周波数間の間隔は49.5MHzであり、等式１０の要件を満たしている。例えば、中心周波数は中心にある。ガード間隔が構成された後で、２つのチャネルの伝送帯域幅は、それぞれに、RB#0からRB#51まで、および、RB#55からRB#271まで、である。別の実施形態においては、等式８を満たしているシステムにおいて、20MHzの帯域幅を有するチャネルと80MHzの帯域幅を有する隣接チャネルとの間の間隔は51.3MHzである。
【００８０】
（４）100MHzは、さらに、複数の方法で分割され得ることが理解されよう。表２を参照すると、フレキシブル帯域幅におけるチャネル組み合わせに係る別の形態の一つの例が記載されている。各チャネル組み合わせにおけるRB構成については、前述の方法を参照のこと。詳細は、ここにおいて再度説明されない。
【表２】
2021503833.tif 000028
【００８１】
以下は、一つの例を使用することにより、チャネル帯域幅について任意的な中心周波数のセットにおける値の相対的位置が、前述の等式を満たしていることを、別々に説明している。以下の中心周波数セットは、標準プロトコルにおいて事前に定義されており、そして、ネットワーク装置は、セット内の中心周波数を使用することによって通信することができる。アップリンクチャネルおよびダウンリンクチャネルの中心周波数は、以下の要件を満たしている。
ＦＤＬ＝ＦＤＬ_low＋０．１（ＮＤＬ―Ｎoffs_ＤＬ）
ＦＵＬ＝ＦＵＬ_low＋０．１（ＮＵＬ―Ｎoffs_ＵＬ）
【００８２】
ＦＤＬはダウンリンクキャリア周波数を表し、ＦＵＬはアップリンクキャリア周波数を表し、ＮＤＬはダウンリンク・エボルブ・ユニバーサル地上無線アクセスネットワーク(evolved  universal  terrestrial  radio  access  network、E-UTRA)の絶対無線周波数チャネル番号(E-UTRA  absolute  radio  frequency  channel  number、EARFCN)を表し、そして、ＮUＬはアップリンクEARFCNを表している。例えば、前述の等式におけるパラメータの値の範囲は以下のとおりである。
【表３】
2021503833.tif 000029
【００８３】
チャネル中心周波数は、以下のセットのうち任意の１つまたは組み合わせから選択される。
【００８４】
5GHz周波数帯域において、サブキャリア間隔は、15kHz、30kHz、または60kHzのうちいずれかである。例えば、チャネル帯域幅(channel  band  width)が40MHzの場合に、任意的なチャネル中心周波数セットは、少なくとも以下を含んでいる。
【００８５】
セット１：
NDL=NUL={n-2,n-1,n,n+1,n+2|n=47190(FDL=FUL=5190MHz),47590(FDL=FUL=5230MHz),47990(FDL=FUL=5270MHz),48390(FDL=FUL=5310MHz),50390(FDL=FUL=5510MHz),50790(FDL=FUL=5550MHz),51190(FDL=FUL=5590MHz),51590(FDL=FUL=5630MHz),51990(FDL=FUL=5670MHz),52390(FDL=FUL=5710MHz)}
【００８６】
一つの例としてn=47190を使用すると、nの値は、±2だけオフセットされてよく、例えば、n-2、n-1、n+1、またはn+2であってよい。nの値が、n-2=47188の場合、FDL=FUL=5189.8MHzである。nの値が、n-1=47189の場合、FDL=FUL=5189.9MHzである。nの値が、n+1=47191の場合、FDL=FUL=5190.1MHzである。nの値が、n+2=47192の場合、FDL=FUL=5190.2MHzである。同様にして、セット１から、より多くの値の範囲を獲得することができる。40MHzのチャネル帯域幅を有する中心周波数セット、および、以下の他のチャネル帯域幅を有する中心周波数セットである。
【００８７】
加えて、キャリア中心周波数の値が5190MHzである一つの例、すなわち、前述のセット１において、n=47190に対応する中心周波数の値が5190MHzであり、かつ、２つの隣接するチャネルが40MHzの帯域幅を有するものが、説明のために使用される。すなわち、ＢＷｃｈａｎｎｅｌ（１）=40MHz、ＢＷｃｈａｎｎｅｌ（２）=40MHz、および、ＢＷＣＲ=100KHzである。SCSが15KHz、30KHz、または60KHzのいずれかである場合には、等式３に従って、２つの隣接するチャネル間のキャリア間隔が以下であることが学習され得る。
【数２５】
2021503833.tif 000030
＝３９．９ＭＨｚ
【００８８】
従って、別の40MHzチャネルの中心周波数は5229.9MHzである。チャネル構成は、以下のセットにおいて、同様の方法および異なる値を使用することによって獲得することができる。
【００８９】
セット２：
NDL=NUL={n-2,n-1,n,n+1,n+2|n=46990(FDL=FUL=5170MHz),47390(FDL=FUL=5210MHz),47790(FDL=FUL=5250MHz),48190(FDL=FUL=5290MHz),48590(FDL=FUL=5330MHz),50190(FDL=FUL=5490MHz),50590(FDL=FUL=5530MHz),50990(FDL=FUL=5570MHz),51390(FDL=FUL=5610MHz),51790(FDL=FUL=5650MHz),52190(FDL=FUL=5690MHz)}
【００９０】
セット３：
NDL=NUL={n-2,n-1,n,n+1,n+2|n=52840(FDL=FUL=5755MHz),53240(FDL=FUL=5795MHz),53640(FDL=FUL=5835MHz),54040(FDL=FUL=5875MHz)}
【００９１】
セット４：
NDL=NUL={n-2,n-1,n,n+1,n+2|n=53040(FDL=FUL=5775MHz),53440(FDL=FUL=5815MHz),53840(FDL=FUL=5855MHz),54240(FDL=FUL=5895MHz)}
【００９２】
チャネル帯域幅が40MHzである場合、チャネル中心周波数セットは、前述のセット１から４のうち少なくとも１つであってよく、または、前述のセット１から４のうち複数であってよいことが理解されよう。
【００９３】
例えば、チャネル帯域幅が60MHzの場合に、任意的なキャリア中心周波数セットは、少なくとも以下を含んでいる。
【００９４】
セット５：
NDL=NUL={n-2,n-1,n,n+1,n+2|n=47090(FDL=FUL=5180MHz),47690(FDL=FUL=5240MHz),48290(FDL=FUL=5300MHz),50290(FDL=FUL=5500MHz),50890(FDL=FUL=5560MHz),51490(FDL=FUL=5620MHz),52090(FDL=FUL=5680MHz)}
【００９５】
セット６：
NDL=NUL={n-2,n-1,n,n+1,n+2|n=47290(FDL=FUL=5200MHz),47890(FDL=FUL=5260MHz),48490(FDL=FUL=5320MHz),50490(FDL=FUL=5520MHz),51090(FDL=FUL=5580MHz),51690(FDL=FUL=5640MHz),52290(FDL=FUL=5700MHz)}
【００９６】
セット７：
NDL=NUL={n-2,n-1,n,n+1,n+2|n=47490(FDL=FUL=5220MHz),48090(FDL=FUL=5280MHz),50690(FDL=FUL=5540MHz),51290(FDL=FUL=5600MHz),51890(FDL=FUL=5660MHz)}
【００９７】
セット８：
NDL=NUL={n-2,n-1,n,n+1,n+2|n=52940(FDL=FUL=5765MHz),53540(FDL=FUL=5825MHz),54140(FDL=FUL=5885MHz)}
【００９８】
セット９：
NDL=NUL={n-2,n-1,n,n+1,n+2|n=53140(FDL=FUL=5785MHz),53740(FDL=FUL=5845MHz)}
【００９９】
セット１０：
NDL=NUL={n-2,n-1,n,n+1,n+2|n=53340(FDL=FUL=5805MHz),53940(FDL=FUL=5865MHz)}
【０１００】
チャネル帯域幅が60MHzである場合に、チャネル中心周波数セットは、前述のセット５から１０のうち少なくとも１つであってよく、または、前述のセット５から１０のうち複数であってよいことが理解されよう。
【０１０１】
キャリア帯域幅が80MHzである場合に、任意的なキャリア中心周波数セットは、少なくとも以下を含んでいる。
【０１０２】
セット１１：
NDL=NUL={n-2,n-1,n,n+1,n+2|n=47390(FDL=FUL=5210MHz),48190(FDL=FUL=5290MHz),50590(FDL=FUL=5530MHz),51390(FDL=FUL=5610MHz),52190(FDL=FUL=5690MHz)}
【０１０３】
セット１２：
NDL=NUL={n-2,n-1,n,n+1,n+2|n=47190(FDL=FUL=5690MHz),47990(FDL=FUL=5270MHz),50390(FDL=FUL=5510MHz),51190(FDL=FUL=5590MHz),51990(FDL=FUL=5670MHz)}
【０１０４】
セット１３：
NDL=NUL={n-2,n-1,n,n+1,n+2|n=47590(FDL=FUL=5230MHz),48390(FDL=FUL=5310MHz),50790(FDL=FUL=5550MHz),51590(FDL=FUL=5630MHz)}
【０１０５】
セット１４：
NDL=NUL={n-2,n-1,n,n+1,n+2|n=47790(FDL=FUL=5250MHz),50790(FDL=FUL=5570MHz),51790(FDL=FUL=5650MHz)}
【０１０６】
セット１５：
NDL=NUL={n-2,n-1,n,n+1,n+2|n=53040(FDL=FUL=5775MHz),53840(FDL=FUL=5855MHz)}
【０１０７】
セット１６：
NDL=NUL={n-2,n-1,n,n+1,n+2|n=53240(FDL=FUL=5795MHz),54040(FDL=FUL=5875MHz)}
【０１０８】
セット１７：
NDL=NUL={n-2,n-1,n,n+1,n+2|n=53440(FDL=FUL=5815MHz)}
【０１０９】
セット１８：
NDL=NUL={n-2,n-1,n,n+1,n+2|n=53640(FDL=FUL=5835MHz)}
【０１１０】
チャネル帯域幅が80MHzである場合に、チャネル中心周波数セットは、前述のセット１１から１８のうちの少なくとも１つであってよく、または、前述のセット１１から１８の複数であってよいことが理解されよう。
【０１１１】
キャリア帯域幅が100MHzの場合に、オプションのキャリア中心周波数セットは、少なくとも以下を含んでいる。
【０１１２】
セット１９：
NDL=NUL={n-2,n-1,n,n+1,n+2|n=47290(FDL=FUL=5200MHz),48290(FDL=FUL=5300MHz),50490(FDL=FUL=5520MHz),51490(FDL=FUL=5620MHz)}
【０１１３】
セット２０：
NDL=NUL={n-2,n-1,n,n+1,n+2|n=47490(FDL=FUL=5220MHz),50690(FDL=FUL=5540MHz),51690(FDL=FUL=5640MHz)}
【０１１４】
セット１２：
NDL=NUL={n-2,n-1,n,n+1,n+2|n=47690(FDL=FUL=5240MHz),50890(FDL=FUL=5560MHz),51890(FDL=FUL=5660MHz)}
【０１１５】
セット２２：
NDL=NUL={n-2,n-1,n,n+1,n+2|n=47890(FDL=FUL=5260MHz),51090(FDL=FUL=5580MHz),52090(FDL=FUL=5680MHz)}
【０１１６】
セット２３：
NDL=NUL={n-2,n-1,n,n+1,n+2|n=48090(FDL=FUL=5280MHz),51290(FDL=FUL=5600MHz)}
【０１１７】
セット２４：
NDL=NUL={n-2,n-1,n,n+1,n+2|n=53140(FDL=FUL=5785MHz)}
【０１１８】
セット２５：
NDL=NUL={n-2,n-1,n,n+1,n+2|n=53340(FDL=FUL=5805MHz)}
【０１１９】
セット２６：
NDL=NUL={n-2,n-1,n,n+1,n+2|n=53540(FDL=FUL=5825MHz)}
【０１２０】
セット２７：
NDL=NUL={n-2,n-1,n,n+1,n+2|n=53740(FDL=FUL=5845MHz)}
【０１２１】
セット２８：
NDL=NUL={n-2,n-1,n,n+1,n+2|n=53940(FDL=FUL=5865MHz)}
【０１２２】
チャネル帯域幅が100MHzである場合に、チャネル中心周波数セットは、前述のセット１９から２８のうち少なくとも１つであってよく、または、前述のセット１９から２８の複数であってもよいことが理解されよう。
【０１２３】
キャリア帯域幅が160MHzである場合に、任意的なキャリア中心周波数セットは、以下のセットの少なくとも１つ、または、以下のセットの複数の組み合わせである: 
【０１２４】
セット１：
NDL=NUL={n-2,n-1,n,n+1,n+2|n=47790
(5250MHz),50990 (5570MHz)}
【０１２５】
セット２：
NDL=NUL={n-2,n-1,n,n+1,n+2|n=47590(5230MHz),47990(5270MHz),50790(5550MHz),51190(5590MHz),51390(5610MHz),51590(5630MHz),51790(5650MHz)}
【０１２６】
セット３：
NDL=NUL={n-2,n-1,n,n+1,n+2|n=53640
(5835MHz)}
【０１２７】
セット４：
NDL=NUL={n-2,n-1,n,n+1,n+2|n=53440
(5815MHz)}
【０１２８】
アンライセンス周波数帯域のアプリケーションシナリオにおいては、いくつかの実装において、帯域幅利用が、占有チャネル帯域幅(occupancy  channel  bandwidth、OCB)の要件を満たす必要がある。アップリンク伝送のために、非均一インターレース(non-even  interlace)に基づく構造が使用され得る。具体的には、リソース・インターレース(interlace)における２つの隣接するRB間の間隔(インターレース間隔として参照されるもの)は、固定されており、しかし、異なるインターレース内に含まれるRBの量は異なることがある。１つのリソース・インターレースは、システム帯域幅内で間隔をおいて分配された複数のリソースブロックを含んでいる。例えば、システム帯域幅が106のRBであり、かつ、インターレース間隔が10のRBであるインターレース構造が使用されるものと仮定すると、6つのインターレースは11のRBを含み、そして、残りの4つのインターレースは10のRBを含んでいる。具体的には、異なるサブキャリア間隔および異なるシステム帯域幅シナリオにおいて、インターレース間隔の値は、以下の表に従って選択され得る。表において、[ａ、ｂ]は、ａからｂまでの閉じた区間における全ての正の整数を示しており、そして、Ｎ／Ａは、シナリオがサポートされていないことを示している。表における値は、次のように計算される。
【０１２９】
【数２６】
2021503833.tif 000031
ＮＲＢはシステム伝送帯域幅に対応するRBの量であり、interlace_spacingはインターレース間隔を示し、ＲＢｂａｎｄｗｉｄｔｈは１つのRBの帯域幅であり、ｐＯＣＢは、請求される帯域幅に対するOCB規則によって要求される実際の伝送帯域幅の比率である。例えば、低周波に対応するｐＯＣＢは80%であり、高周波に対応するｐＯＣＢは70%であり、そして、ＢＷはシステムの帯域幅である。例えば、サブキャリア間隔は15kHzであり、そして、システム帯域幅は20MHz、すなわち、BW=20MHzである。対応する伝送帯域幅が106のRBであると仮定すると、前述の等式を満たしているインターレース間隔の値は、1、2、3、4、5、6、7、8、9、10、11、13、または15である。異なる実装において、１つまたはそれ以上の適切な値が、値の範囲から選択され得る。
【０１３０】
別のシステム帯域幅については、サブキャリア間隔シナリオにおいて、対応するインターレース間隔値の範囲が前述の表から獲得され、そして、次いで、１つまたはそれ以上の値が値の範囲から選択され得る。好適な実装においては、低周波シナリオにおいて、15kHzサブキャリア間隔のシナリオについて、インターレース間隔が10であるインターレース構造が、異なるシステム帯域幅(例えば、20MHz、40MHz、60MHz、80MHz、100MHz、および160MHz)に対して使用される。30kHzサブキャリア間隔のシナリオについて、インターレース間隔が5であるインターレース構造が、異なるシステム帯域幅(例えば、20MHz、40MHz、60MHz、80MHz、100MHz、および160MHz)に対して使用される。60kHzサブキャリア間隔のシナリオにおいて、インターレース間隔が2であるインターレース構造が、異なるシステム帯域幅(例えば、20MHz、40MHz、60MHz、80MHz、100MHz、および160MHz)に対して使用される。高周波シナリオにおいて、60kHzサブキャリア間隔のシナリオについて、インターレース間隔が20であるインターレース構造が、異なるシステム帯域幅(例えば、100MHz、200MHz、および400MHz)に対して使用される。120kHzサブキャリア間隔のシナリオにおいて、インターレース間隔が10であるインターレース構造が、異なるシステム帯域幅(例えば、100MHz、200MHz、および400MHz)に対して使用される。別の可能な実装において、低周波シナリオにおいては、20MHzのシステム帯域幅に対して、インターレース間隔が、10、5、および2であるインターレース構造が、15kHz、30kHz、および60のサブキャリア間隔についてそれぞれに使用される。40MHzシステム帯域幅の場合、インターレース間隔が20、10、および5であるインターレース構造が、15kHz、30kHz、および60kHzのサブキャリア間隔についてそれぞれに使用される。60MHzのシステム帯域幅に対して、インターレース間隔が15および7であるインターレース構造が、30kHzおよび60kHzのサブキャリア間隔についてそれぞれに使用される。80MHzシステム帯域幅の場合、インターレース間隔が20および10であるインターレース構造が、30kHzおよび60kHzのサブキャリア間隔についてそれぞれに使用される。高周波シナリオにおいては、100MHzのシステム帯域幅に対して、インターレース間隔が20および10であるインターレース構造が、60kHzおよび120kHzのサブキャリア間隔についてそれぞれに使用される。200MHzのシステム帯域幅に対して、インターレース間隔が40および20であるインターレース構造が、60kHzおよび120kHzのサブキャリア間隔についてそれぞれに使用される。400MHzのシステム帯域幅に対して、インターレース間隔が40であるインターレース構造が、120kHzのサブキャリア間隔について使用される。
【０１３１】
いくつかの他の実装が、システムの帯域幅、対応するサブキャリア間隔、および、以下の表において提供される値に基づいて、選択され得る。詳細は、ここにおいて再度説明されない。
【表４】
2021503833.tif 000032
【表５】
2021503833.tif 000033
【０１３２】
上記は、この出願における通信方式の実装を詳細に説明している。以下は、この出願におけるネットワーク装置および端末装置の実装を説明するように続いている。
【０１３３】
ネットワーク装置の実装が、最初に説明される。特定の例において、ネットワーク装置の構造は、プロセッサ(または、コントローラとして参照されるもの)およびトランシーバを含んでいる。可能な例において、ネットワーク装置の構造は、さらに、通信ユニットを含み得る。通信ユニットは、コアネットワーク・ノード（core  network  node）との通信といった、別のネットワーク・サイド・デバイス（network-side  device）との通信をサポートするように構成されている。可能な例において、ネットワーク装置の構造は、さらに、メモリを含み得る。メモリは、プロセッサに対して結合されており、そして、ネットワーク装置のために必要なプログラム命令およびデータを保管するように構成されている。
【０１３４】
図8は、前述の実装におけるネットワーク装置の可能な簡略化された模式的な構造図である。図8に対応する例において、この出願におけるネットワーク装置の構造は、トランシーバ801、プロセッサ802、メモリ803、および通信ユニット804を含んでいる。トランシーバ801、プロセッサ802、メモリ803、および通信ユニット804は、バスを使用することにより接続されている。
【０１３５】
ダウンリンクにおいて、送信されるべき（to-be-sent）データまたは信号(前述のダウンリンク制御情報を含んでいる)は、サンプルを出力し、かつ、ダウンリンク信号を生成するために、トランシーバ801によって調整されている。ダウンリンク信号は、アンテナを使用することにより、前述の実施形態における端末装置に対して送信される。アップリンクにおいて、アンテナは、前述の実施形態における端末装置によって送信されたアップリンク信号を受信する。トランシーバ802は、アンテナから受信した信号を調整し、そして、入力サンプルを提供する。プロセッサ802においては、サービスデータおよび信号メッセージ（signaling  message）が処理され、例えば、送信されるべきデータを変調し、そして、SC-FDMAシンボルを生成している。これらのユニットは、無線アクセスネットワークによって使用される無線アクセス技術(例えば、LTE、5G、および他の進化システム（evolved  system）におけるアクセス技術)に基づいて、処理を実行する。図7に示される実装において、トランシーバ802は、送信機および受信機によって統合されている。別の実装において、送信機と受信機は、代替的に、相互に独立していてよい。
【０１３６】
プロセッサ802は、さらに、ネットワーク装置の動作を制御および管理し、前述の実施形態におけるネットワーク装置によって実行される処理を実行し、例えば、チャネル構成を処理するためにネットワーク装置を制御すること、かつ／あるいは、この出願において説明される技術の別のプロセスを実行する、ように構成されている。一つの例において、プロセッサ802は、図2から図7のネットワーク装置に関連する処理プロセス、例えば、ステップ301および302、を実行することにおいて、ネットワーク装置をサポートするように構成されている。プロセッサ802がアンライセンスシナリオに適用されるとき、プロセッサ802は、チャネルリスニング（channel  listening）を実行し、そして、競合（contention）を通じてチャネル占有時間を獲得する。例えば、プロセッサ802は、アンテナからトランシーバ802によって受信された信号に基づいてチャネルリスニングを実行し、そして、チャネルを占有するためにアンテナを使用することによって信号を送信するようにトランシーバを制御する。異なる実装において、プロセッサ802は、１つまたはそれ以上のプロセッサを含み、例えば、１つまたはそれ以上の中央処理装置(Central  Processing  Unit、CPU)を含み得る。プロセッサ802は、チップの中へ集積されてよく、または、チップであってよい。
【０１３７】
メモリ803は、関連する命令およびデータ、並びに、ネットワーク装置のものであるプログラムコードおよびデータを保管するように構成されている。異なる実装において、メモリ603は、これらに限定されるわけではないが、ランダムアクセスメモリ(Random  Access  Memory、RAM)、読出し専用メモリ(Read  Only  Memory、ROM)、消去可能プログラマブル読出し専用メモリ(Erasable  Programmable  Read  Only  Memory、EPROM)、または、ポータブル読出し専用メモリ(Compact  Disc  Read-Only  Memory、CD-ROM)を含む。
【０１３８】
図8は、単にネットワーク装置の簡略化された設計を示しただけのものであることが理解され得る。実際のアプリケーションにおいて、ネットワーク装置は、任意の量の送信機、受信機、プロセッサ、メモリ、等を含み得る。この出願を実装することができる全てのネットワーク装置は、この出願の保護範囲の中にある。
【０１３９】
以下は、端末装置の実装を説明している。特定的な例において、端末装置の構造は、プロセッサ(または、コントローラとしても参照されるもの)、トランシーバ、およびモデムプロセッサを含んでいる。可能な例において、ネットワーク装置の構造は、さらに、メモリを含み得る。メモリは、プロセッサに結合されており、そして、ネットワーク装置のために必要なプログラム命令およびデータを保管するように構成されている。
【０１４０】
図9は、前述の実施形態における端末装置の可能な設計構造の簡略化された模式図である。端末装置は、トランシーバ901、プロセッサ902、メモリ903、およびモデムプロセッサ904を含んでいる。トランシーバ901、プロセッサ902、メモリ903、およびモデムプロセッサ904は、バスを使用することにより接続されている。
【０１４１】
トランシーバ901は、出力サンプルを調整(例えば、アナログ変換、フィルタリング、増幅、およびアップコンバージョン（up-conversion）を実行)し、そして、アップリンク信号を生成する。アップリンク信号は、アンテナを使用することにより、前述の実施形態におけるネットワーク装置に対して送信される。ダウンリンクにおいて、アンテナは、前述の実施形態における基地局によって送信されたダウンリンク信号を受信する。トランシーバ90は、アンテナから受信した信号を調整(例えば、フィルタリング、増幅、ダウンコンバージョン（down-conversion）、およびデジタル化を実行)し、そして、入力サンプルを提供する。例えば、モデムプロセッサ904において、エンコーダ9041は、アップリンク上で送信されるべきサービスデータおよび信号メッセージを受信し、そして、サービスデータおよび信号メッセージを処理（例えば、フォーマッティング、エンコード、およびインタリーブ（interleaving  on））する。変調器9042は、さらに、符号化されたサービスデータおよび信号メッセージを処理(例えば、シンボルマッピングおよび変調を実行)し、そして、出力サンプルを提供する。復調器9043は、入力サンプルを処理(例えば、復調)し、そして、シンボル推定（symbol  estimation）を提供する。デコーダ9044は、シンボル推定を処理（例えば、デインターリーブ（de-interleave）、かつ、復号）し、そして、端末装置に送信されるべき復号化されたデータおよび復号化された信号メッセージを提供する。エンコーダ9041、変調器9042、復調器9043、およびデコーダ9044は、結合モデム（combined  modem）プロセッサ704によって実装されてよい。これらのユニットは、無線アクセスネットワークによって使用される無線アクセス技術(例えば、LTE、5G、および、他の進化システムにおけるアクセス技術)に基づいて処理を実行する。図9に示される実装において、トランシーバ901は、送信機および受信機によって統合されている。別の実装において、送信機と受信機は、代替的に、相互に独立していてよい。
【０１４２】
プロセッサ902は、端末装置の動作を制御および管理し、前述の実施形態における端末装置によって実行される処理を実行する。例えば、プロセッサ902は、受信したページング表示情報に基づいて、本発明で説明される技術の処理及び／又は別のプロセスを実行するために端末装置を制御するように構成されている。一つの例において、プロセッサ902は、図2から図7における端末装置に関連する処理プロセスを実行することにおいて、端末装置をサポートするように構成されている。例えば、トランシーバ901は、アンテナを使用することにより、ネットワーク装置によって送信されたダウンリンク制御情報を受信するように構成されており、そして、プロセッサ902は、ダウンリンク制御情報に基づいて、アンテナを使用することにより同期信号を探索し、かつ、受信するために、トランシーバを制御するように構成されている。異なる実装において、プロセッサ902は、１つまたはそれ以上のプロセッサを含んでよく、例えば、１つまたはそれ以上のCPUを含んでよい。プロセッサ802は、チップの中に集積されてよく、または、チップであってよい。
【０１４３】
メモリ903は、関連する命令およびデータ、並びに、端末装置のものであるプログラムコードおよびデータを保管するように構成されている。異なる実装において、メモリ903は、これらに限定されるわけではないが、ランダムアクセスメモリ(Random  Access  Memory、RAM)、読出し専用メモリ(Read  Only  Memory、ROM)、消去可能プログラマブル読出し専用メモリ(Erasable  Programmable  Read  Only  Memory、EPROM)、または、ポータブル読出し専用メモリ(Compact  Disc  Read-Only  Memory、CD-ROM)を含む。
【０１４４】
図9は、単に端末装置の簡略化された設計を示しただけのものであることが理解され得る。実際のアプリケーションにおいて、端末装置は、任意の量の送信機、受信機、プロセッサ、メモリ、等を含み得る。この出願を実装することができる全ての端末装置は、この出願の保護範囲の中にある。
【０１４５】
前述の実施形態の全て又はいくつかは、ソフトウェア、ハードウェア、ファームウェア、またはそれらの任意の組み合わせを使用することによって実施され得る。実施形態を実装するためにソフトウェアが使用される場合、実施形態は、コンピュータプログラム製品の形態において完全に又は部分的に実施され得る。コンピュータプログラム製品は、１つまたはそれ以上のコンピュータ命令を含んでいる。コンピュータプログラム命令がロードされ、コンピュータ上で実行される場合、本発明の実施形態に従ったプロシージャまたは機能が、全て又は部分的に生成される。コンピュータは、汎用コンピュータ、専用コンピュータ、コンピュータネットワーク、または他のプログラム可能な装置であってよい。コンピュータ命令は、コンピュータで読取り可能な記憶媒体に保管されてよく、または、コンピュータで読取り可能な記憶媒体から別のコンピュータで読取り可能な記憶媒体へ送信されてよい。例えば、コンピュータ命令は、ウェブサイト、コンピュータ、サーバ、またはデータセンタから、有線(例えば、同軸ケーブル、光ファイバ、またはデジタル加入者線（DSL）)または無線(例えば、赤外線、無線、またはマイクロ波)方式で、別のウェブサイト、コンピュータ、サーバ、またはデータセンタへ送信され得る。コンピュータで読取り可能記憶媒体は、コンピュータによってアクセス可能な任意の使用可能媒体、または、１つまたはそれ以上の使用可能媒体を統合する、サーバまたはデータセンタといった、データ記憶装置であってよい。使用可能な媒体は、磁気媒体(例えば、フロッピー（登録商標）ディスク、ハードディスク、または磁気テープ)、光媒体(例えば、DVD)、半導体媒体(例えば、ソリッドステートドライブ(Solid  State  Disk、SSD))、等である。
【０１４６】
当業者であれば、前述の１つまたはそれ以上の例において、この出願で説明される機能が、ハードウェア、ソフトウェア、ファームウェア、または、それらの任意の組み合わせによって実現され得ることを認識すべきである。この出願がソフトウェアによって実装される場合、機能は、コンピュータで読取り可能媒体において保管されるか、または、コンピュータで読取り可能媒体における１つまたはそれ以上の命令またはコードとして送信されてよい。コンピュータで読取り可能媒体は、コンピュータ記憶媒体および通信媒体を含み、ここで、通信媒体は、コンピュータプログラムが１つの場所から別の場所へ送信されることを可能にする任意の媒体を含む。記憶媒体は、汎用コンピュータまたは専用コンピュータにアクセス可能な任意の利用可能な媒体であってよい。
【図１】
2021503833.tif 000050
【図２】
2021503833.tif 000051
【図３】
2021503833.tif 000052
【図４】
2021503833.tif 000053
【図５】
2021503833.tif 000054
【図６】
2021503833.tif 000055
【図７】
2021503833.tif 000056
【図８】
2021503833.tif 000057
【図９】
2021503833.tif 000058
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
通信方法であって、
ネットワーク装置によって、少なくとも２つのチャネルを決定するステップであり、前記少なくとも２つのチャネルにおける２つの隣接するチャネルの中心周波数間の間隔は、サブキャリア間隔の正の整数倍またはリソースブロックＲＢ間隔の正の整数倍である、ステップと、
前記ネットワーク装置によって、前記少なくとも２つのチャネルのうち１つを使用することにより、通信するステップと、
を含む、通信方法。
【請求項２】
前記少なくとも２つのチャネルにおける２つの隣接するチャネルの中心周波数間の間隔は、以下の等式
【数１】
2021503833.tif 000059
を満たしており、
【数２】
2021503833.tif 000060
において、
ノミナルチャネル間隔（Ｎｏｍｉｎａｌ  ｃｈａｎｎｅｌ  ｓｐａｃｉｎｇ）は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＳＣＳは、サブキャリア間隔を表し、かつ、
ＬＣＭ（ＢＷＣＲ，ＳＣＳ）は、ＢＷＣＲとＳＣＳの最小公倍数を表している、
請求項１に記載の通信方法。
【請求項３】
前記２つの隣接するチャネルの中心周波数間の間隔は、以下の、等式３乃至等式７
【数３】
2021503833.tif 000061
（等式３）、
【数４】
2021503833.tif 000062
（等式４）、
【数５】
2021503833.tif 000063
（等式５）、
【数６】
2021503833.tif 000064
（等式６）、
【数７】
2021503833.tif 000065
（等式７）
のいずれか１つに適合している、
請求項２に記載の通信方法。
【請求項４】
前記少なくとも２つのチャネルにおける２つの隣接するチャネルの中心周波数間の間隔は、以下のいずれかの等式
【数８】
2021503833.tif 000066
または、
【数９】
2021503833.tif 000067
を満たしており、
ノミナルチャネル間隔は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＢＷＲＢは、ＲＢ間隔を表し、かつ、
ＬＣＭ（ＢＷＣＲ，ＢＷＲＢ）は、ＢＷＣＲとＢＷＲＢの最小公倍数を表している、
請求項１に記載の通信方法。
【請求項５】
前記２つの隣接するチャネルの中心周波数間の間隔は、以下の、等式１０乃至等式１２
【数１０】
2021503833.tif 000068
（等式１０）、
【数１１】
2021503833.tif 000069
（等式１１）、
【数１２】
2021503833.tif 000070
（等式１２）
のいずれか１つに適合している、
請求項４に記載の通信方法。
【請求項６】
通信方法であって、
ランダムアクセスを実行するために、端末装置によって、ネットワーク装置からの同期信号を探索するステップと、
前記ネットワーク装置にアクセスするときに、前記端末装置によって、少なくとも１つのチャネル上で通信するステップであり、前記少なくとも１つのチャネルおよび前記ネットワーク装置によって構成されている別の隣接するチャネルそれぞれの中心周波数間の間隔は、サブキャリア間隔の正の整数倍またはリソースブロックＲＢの正の整数倍である、ステップと、
を含む、通信方法。
【請求項７】
前記少なくとも１つのチャネルおよび別の隣接するチャネルそれぞれの中心周波数間の間隔は、以下の等式
【数１３】
2021503833.tif 000071
を満たしており、
【数１４】
2021503833.tif 000072
において、
ノミナルチャネル間隔（Ｎｏｍｉｎａｌ  ｃｈａｎｎｅｌ  ｓｐａｃｉｎｇ）は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＳＣＳは、サブキャリア間隔を表し、かつ、
ＬＣＭ（ＢＷＣＲ，ＳＣＳ）は、ＢＷＣＲとＳＣＳの最小公倍数を表している、
請求項６に記載の通信方法。
【請求項８】
２つの隣接するチャネルの中心周波数間の前記間隔は、以下の、等式３乃至等式７
【数１５】
2021503833.tif 000073
（等式３）、
【数１６】
2021503833.tif 000074
（等式４）、
【数１７】
2021503833.tif 000075
（等式５）、
【数１８】
2021503833.tif 000076
（等式６）、
【数１９】
2021503833.tif 000077
（等式７）
のいずれか１つに適合している、
請求項７に記載の通信方法。
【請求項９】
前記少なくとも１つのチャネルおよび別の隣接するチャネルそれぞれの中心周波数間の間隔は、以下のいずれかの等式
【数２０】
2021503833.tif 000078
または、
【数２１】
2021503833.tif 000079
を満たしており、
ノミナルチャネル間隔は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＢＷＲＢは、ＲＢ間隔を表し、かつ、
ＬＣＭ（ＢＷＣＲ，ＢＷＲＢ）は、ＢＷＣＲとＢＷＲＢの最小公倍数を表している、
請求項６に記載の通信方法。
【請求項１０】
２つの隣接するチャネルの中心周波数間の前記間隔は、以下の、等式１０乃至等式１２
【数２２】
2021503833.tif 000080
（等式１０）、
【数２３】
2021503833.tif 000081
（等式１１）、
【数２４】
2021503833.tif 000082
（等式１２）
のいずれか１つに適合している、
請求項９に記載の通信方法。
【請求項１１】
ネットワーク装置であって、
少なくとも２つのチャネルを決定するように構成された、プロセッサであり、前記少なくとも２つのチャネルにおける２つの隣接するチャネルの中心周波数間の間隔は、サブキャリア間隔の正の整数倍またはリソースブロックＲＢ間隔の正の整数倍である、プロセッサと、
少なくとも２つのチャネルのうち少なくとも１つを使用することにより、通信するように構成されている、トランシーバと、
を含む、ネットワーク装置。
【請求項１２】
前記少なくとも２つのチャネルにおける２つの隣接するチャネルの中心周波数間の間隔は、以下の等式
【数２５】
2021503833.tif 000083
を満たしており、
【数２６】
2021503833.tif 000084
において、
ノミナルチャネル間隔（Ｎｏｍｉｎａｌ  ｃｈａｎｎｅｌ  ｓｐａｃｉｎｇ）は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＳＣＳは、サブキャリア間隔を表し、かつ、
ＬＣＭ（ＢＷＣＲ，ＳＣＳ）は、ＢＷＣＲとＳＣＳの最小公倍数を表している、
請求項１１に記載のネットワーク装置。
【請求項１３】
前記２つの隣接するチャネルの中心周波数間の間隔は、以下の、等式３乃至等式７
【数２７】
2021503833.tif 000085
（等式３）、
【数２８】
2021503833.tif 000086
（等式４）、
【数２９】
2021503833.tif 000087
（等式５）、
【数３０】
2021503833.tif 000088
（等式６）、
【数３１】
2021503833.tif 000089
（等式７）
のいずれか１つに適合している、
請求項１２に記載のネットワーク装置。
【請求項１４】
前記少なくとも２つのチャネルにおける２つの隣接するチャネルの中心周波数間の間隔は、以下のいずれかの等式
【数３２】
2021503833.tif 000090
または、
【数３３】
2021503833.tif 000091
を満たしており、
ノミナルチャネル間隔は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＢＷＲＢは、ＲＢ間隔を表し、かつ、
ＬＣＭ（ＢＷＣＲ，ＢＷＲＢ）は、ＢＷＣＲとＢＷＲＢの最小公倍数を表している、
請求項１１に記載のネットワーク装置。
【請求項１５】
前記２つの隣接するチャネルの中心周波数間の間隔は、以下の、等式１０乃至等式１２
【数３４】
2021503833.tif 000092
（等式１０）、
【数３５】
2021503833.tif 000093
（等式１１）、
【数３６】
2021503833.tif 000094
（等式１２）
のいずれか１つに適合している、
請求項１４に記載のネットワーク装置。
【請求項１６】
トランシーバおよびプロセッサを含む、端末装置であって、
前記トランシーバは、ランダムアクセスを実行するために、ネットワーク装置からの同期信号を探索するように構成されており、かつ、
前記プロセッサは、前記ネットワーク装置にアクセスするときに、少なくとも１つのチャネル上で通信するために前記トランシーバを制御するように構成されており、前記少なくとも１つのチャネルおよび前記ネットワーク装置によって構成されている別の隣接するチャネルそれぞれの中心周波数間の間隔は、サブキャリア間隔の正の整数倍またはリソースブロックＲＢの正の整数倍である、
端末装置。
【請求項１７】
前記少なくとも１つのチャネルおよび別の隣接するチャネルそれぞれの中心周波数間の間隔は、以下の等式
【数３７】
2021503833.tif 000095
を満たしており、
【数３８】
2021503833.tif 000096
において、
ノミナルチャネル間隔（Ｎｏｍｉｎａｌ  ｃｈａｎｎｅｌ  ｓｐａｃｉｎｇ）は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＳＣＳは、サブキャリア間隔を表し、かつ、
ＬＣＭ（ＢＷＣＲ，ＳＣＳ）は、ＢＷＣＲとＳＣＳの最小公倍数を表している、
請求項１６に記載の端末装置。
【請求項１８】
２つの隣接するチャネルの中心周波数間の前記間隔は、以下の、等式３乃至等式７
【数３９】
2021503833.tif 000097
（等式３）、
【数４０】
2021503833.tif 000098
（等式４）、
【数４１】
2021503833.tif 000099
（等式５）、
【数４２】
2021503833.tif 000100
（等式６）、
【数４３】
2021503833.tif 000101
（等式７）
のいずれか１つに適合している、
請求項１７に記載の端末装置。
【請求項１９】
前記少なくとも１つのチャネルおよび別の隣接するチャネルそれぞれの中心周波数間の間隔は、以下のいずれかの等式
【数４４】
2021503833.tif 000102
または、
【数４５】
2021503833.tif 000103
を満たしており、
ノミナルチャネル間隔は、２つのチャネルの中心周波数間の間隔を表し、
ＢＷｃｈａｎｎｅｌ（１）およびＢＷｃｈａｎｎｅｌ（２）は、２つのキャリアの帯域幅を別々に表し、
ＢＷＣＲは、チャネルラスタを表し、
ＢＷＲＢは、ＲＢ間隔を表し、かつ、
ＬＣＭ（ＢＷＣＲ，ＢＷＲＢ）は、ＢＷＣＲとＢＷＲＢの最小公倍数を表している、
請求項１６に記載の端末装置。
【請求項２０】
２つの隣接するチャネルの中心周波数間の前記間隔は、以下の、等式１０乃至等式１２
【数４６】
2021503833.tif 000104
（等式１０）、
【数４７】
2021503833.tif 000105
（等式１１）、
【数４８】
2021503833.tif 000106
（等式１２）
のいずれか１つに適合している、
請求項１９に記載の端末装置。
【手続補正２】
【補正対象書類名】明細書
【補正対象項目名】００１６
【補正方法】変更
【補正の内容】
【００１６】
第４態様に従って、この出願の実施形態は、通信装置を提供する。通信装置は、前述の方法の実施形態において、ネットワーク装置を実装する機能を有している。本機能は、ハードウェアによって実装されてよく、または、対応するソフトウェアを実行するハードウェアによって実装されてよい。ハードウェアまたはソフトウェアは、前述の機能に対応する１つまたはそれ以上のモジュールを含んでいる。
【手続補正３】
【補正対象書類名】明細書
【補正対象項目名】０１２８
【補正方法】変更
【補正の内容】
【０１２８】
アンライセンス周波数帯域のアプリケーションシナリオにおいては、いくつかの実装において、帯域幅利用が、占有チャネル帯域幅(occupancied  channel  bandwidth、OCB)の要件を満たす必要がある。アップリンク伝送のために、非均一インターレース(non-even  interlace)に基づく構造が使用され得る。具体的には、リソース・インターレース(interlace)における２つの隣接するRB間の間隔(インターレース間隔として参照されるもの)は、固定されており、しかし、異なるインターレース内に含まれるRBの量は異なることがある。１つのリソース・インターレースは、システム帯域幅内で間隔をおいて分配された複数のリソースブロックを含んでいる。例えば、システム帯域幅が106のRBであり、かつ、インターレース間隔が10のRBであるインターレース構造が使用されるものと仮定すると、6つのインターレースは11のRBを含み、そして、残りの4つのインターレースは10のRBを含んでいる。具体的には、異なるサブキャリア間隔および異なるシステム帯域幅シナリオにおいて、インターレース間隔の値は、以下の表に従って選択され得る。表において、[ａ、ｂ]は、ａからｂまでの閉じた区間における全ての正の整数を示しており、そして、Ｎ／Ａは、シナリオがサポートされていないことを示している。表における値は、次のように計算される。
【手続補正４】
【補正対象書類名】明細書
【補正対象項目名】０１３０
【補正方法】変更
【補正の内容】
【０１３０】
別のシステム帯域幅については、サブキャリア間隔シナリオにおいて、対応するインターレース間隔値の範囲が前述の表から獲得され、そして、次いで、１つまたはそれ以上の値が値の範囲から選択され得る。一つの実装においては、低周波シナリオにおいて、15kHzサブキャリア間隔のシナリオについて、インターレース間隔が10であるインターレース構造が、異なるシステム帯域幅(例えば、20MHz、40MHz、60MHz、80MHz、100MHz、および160MHz)に対して使用される。30kHzサブキャリア間隔のシナリオについて、インターレース間隔が5であるインターレース構造が、異なるシステム帯域幅(例えば、20MHz、40MHz、60MHz、80MHz、100MHz、および160MHz)に対して使用される。60kHzサブキャリア間隔のシナリオにおいて、インターレース間隔が2であるインターレース構造が、異なるシステム帯域幅(例えば、20MHz、40MHz、60MHz、80MHz、100MHz、および160MHz)に対して使用される。高周波シナリオにおいて、60kHzサブキャリア間隔のシナリオについて、インターレース間隔が20であるインターレース構造が、異なるシステム帯域幅(例えば、100MHz、200MHz、および400MHz)に対して使用される。120kHzサブキャリア間隔のシナリオにおいて、インターレース間隔が10であるインターレース構造が、異なるシステム帯域幅(例えば、100MHz、200MHz、および400MHz)に対して使用される。別の可能な実装において、低周波シナリオにおいては、20MHzのシステム帯域幅に対して、インターレース間隔が、10、5、および2であるインターレース構造が、15kHz、30kHz、および60kHzのサブキャリア間隔についてそれぞれに使用される。40MHzシステム帯域幅の場合、インターレース間隔が20、10、および5であるインターレース構造が、15kHz、30kHz、および60kHzのサブキャリア間隔についてそれぞれに使用される。60MHzのシステム帯域幅に対して、インターレース間隔が15および7であるインターレース構造が、30kHzおよび60kHzのサブキャリア間隔についてそれぞれに使用される。80MHzシステム帯域幅の場合、インターレース間隔が20および10であるインターレース構造が、30kHzおよび60kHzのサブキャリア間隔についてそれぞれに使用される。高周波シナリオにおいては、100MHzのシステム帯域幅に対して、インターレース間隔が20および10であるインターレース構造が、60kHzおよび120kHzのサブキャリア間隔についてそれぞれに使用される。200MHzのシステム帯域幅に対して、インターレース間隔が40および20であるインターレース構造が、60kHzおよび120kHzのサブキャリア間隔についてそれぞれに使用される。400MHzのシステム帯域幅に対して、インターレース間隔が40であるインターレース構造が、120kHzのサブキャリア間隔について使用される。
【手続補正５】
【補正対象書類名】明細書
【補正対象項目名】０１３５
【補正方法】変更
【補正の内容】
【０１３５】
ダウンリンクにおいて、送信されるべき（to-be-sent）データまたは信号(前述のダウンリンク制御情報を含んでいる)は、サンプルを出力し、かつ、ダウンリンク信号を生成するために、トランシーバ801によって調整されている。ダウンリンク信号は、アンテナを使用することにより、前述の実施形態における端末装置に対して送信される。アップリンクにおいて、アンテナは、前述の実施形態における端末装置によって送信されたアップリンク信号を受信する。トランシーバ801は、アンテナから受信した信号を調整し、そして、入力サンプルを提供する。プロセッサ802においては、サービスデータおよび信号メッセージ（signaling  message）が処理され、例えば、送信されるべきデータを変調し、そして、SC-FDMAシンボルを生成している。これらのユニットは、無線アクセスネットワークによって使用される無線アクセス技術(例えば、LTE、5G、および他の進化システム（evolved  system）におけるアクセス技術)に基づいて、処理を実行する。図7に示される実装において、トランシーバ802は、送信機および受信機によって統合されている。別の実装において、送信機と受信機は、代替的に、相互に独立していてよい。
【手続補正６】
【補正対象書類名】明細書
【補正対象項目名】０１３７
【補正方法】変更
【補正の内容】
【０１３７】
メモリ803は、関連する命令およびデータ、並びに、ネットワーク装置のものであるプログラムコードおよびデータを保管するように構成されている。異なる実装において、メモリ803は、これらに限定されるわけではないが、ランダムアクセスメモリ(Random  Access  Memory、RAM)、読出し専用メモリ(Read  Only  Memory、ROM)、消去可能プログラマブル読出し専用メモリ(Erasable  Programmable  Read  Only  Memory、EPROM)、または、ポータブル読出し専用メモリ(Compact  Disc  Read-Only  Memory、CD-ROM)を含む。
【手続補正７】
【補正対象書類名】明細書
【補正対象項目名】０１４１
【補正方法】変更
【補正の内容】
【０１４１】
トランシーバ901は、出力サンプルを調整(例えば、アナログ変換、フィルタリング、増幅、およびアップコンバージョン（up-conversion）を実行)し、そして、アップリンク信号を生成する。アップリンク信号は、アンテナを使用することにより、前述の実施形態におけるネットワーク装置に対して送信される。ダウンリンクにおいて、アンテナは、前述の実施形態における基地局によって送信されたダウンリンク信号を受信する。トランシーバ901は、アンテナから受信した信号を調整(例えば、フィルタリング、増幅、ダウンコンバージョン（down-conversion）、およびデジタル化を実行)し、そして、入力サンプルを提供する。例えば、モデムプロセッサ904において、エンコーダ9041は、アップリンク上で送信されるべきサービスデータおよび信号メッセージを受信し、そして、サービスデータおよび信号メッセージを処理（例えば、フォーマッティング、エンコード、およびインタリーブ（interleaving  on））する。変調器9042は、さらに、符号化されたサービスデータおよび信号メッセージを処理(例えば、シンボルマッピングおよび変調を実行)し、そして、出力サンプルを提供する。復調器9043は、入力サンプルを処理(例えば、復調)し、そして、シンボル推定（symbol  estimation）を提供する。デコーダ9044は、シンボル推定を処理（例えば、デインターリーブ（de-interleave）、かつ、復号）し、そして、端末装置に送信されるべき復号化されたデータおよび復号化された信号メッセージを提供する。エンコーダ9041、変調器9042、復調器9043、およびデコーダ9044は、結合モデム（combined  modem）プロセッサ904によって実装されてよい。これらのユニットは、無線アクセスネットワークによって使用される無線アクセス技術(例えば、LTE、5G、および、他の進化システムにおけるアクセス技術)に基づいて処理を実行する。図9に示される実装において、トランシーバ901は、送信機および受信機によって統合されている。別の実装において、送信機と受信機は、代替的に、相互に独立していてよい。
【手続補正８】
【補正対象書類名】明細書
【補正対象項目名】０１４２
【補正方法】変更
【補正の内容】
【０１４２】
プロセッサ902は、端末装置の動作を制御および管理し、前述の実施形態における端末装置によって実行される処理を実行する。例えば、プロセッサ902は、受信したページング表示情報に基づいて、本発明で説明される技術の処理及び／又は別のプロセスを実行するために端末装置を制御するように構成されている。一つの例において、プロセッサ902は、図2から図7における端末装置に関連する処理プロセスを実行することにおいて、端末装置をサポートするように構成されている。例えば、トランシーバ901は、アンテナを使用することにより、ネットワーク装置によって送信されたダウンリンク制御情報を受信するように構成されており、そして、プロセッサ902は、ダウンリンク制御情報に基づいて、アンテナを使用することにより同期信号を探索し、かつ、受信するために、トランシーバを制御するように構成されている。異なる実装において、プロセッサ902は、１つまたはそれ以上のプロセッサを含んでよく、例えば、１つまたはそれ以上のCPUを含んでよい。プロセッサ902は、チップの中に集積されてよく、または、チップであってよい。
【手続補正９】
【補正対象書類名】明細書
【補正対象項目名】０１４５
【補正方法】変更
【補正の内容】
【０１４５】
前述の実施形態の全て又はいくつかは、ソフトウェア、ハードウェア、ファームウェア、またはそれらの任意の組み合わせを使用することによって実施され得る。実施形態を実装するためにソフトウェアが使用される場合、実施形態は、コンピュータプログラム製品の形態において完全に又は部分的に実施され得る。コンピュータプログラム製品は、１つまたはそれ以上のコンピュータ命令を含んでいる。コンピュータプログラム命令がロードされ、コンピュータ上で実行される場合、本発明の実施形態に従ったプロシージャまたは機能が、全て又は部分的に生成される。コンピュータは、汎用コンピュータ、専用コンピュータ、コンピュータネットワーク、または他のプログラム可能な装置であってよい。コンピュータ命令は、コンピュータで読取り可能な記憶媒体に保管されてよく、または、コンピュータで読取り可能な記憶媒体から別のコンピュータで読取り可能な記憶媒体へ送信されてよい。例えば、コンピュータ命令は、ウェブサイト、コンピュータ、サーバ、またはデータセンタから、有線(例えば、同軸ケーブル、光ファイバ、またはデジタル加入者線（DSL）)または無線(例えば、赤外線、無線、またはマイクロ波)方式で、別のウェブサイト、コンピュータ、サーバ、またはデータセンタへ送信され得る。コンピュータで読取り可能記憶媒体は、コンピュータによってアクセス可能な任意の使用可能媒体、または、１つまたはそれ以上の使用可能媒体を統合する、サーバまたはデータセンタといった、データ記憶装置であってよい。使用可能な媒体は、磁気媒体(例えば、フロッピー（登録商標）ディスク、ハードディスク、または磁気テープ)、光媒体(例えば、DVD)、半導体媒体(例えば、ソリッドステートドライブ(Solid  State  drive、SSD))、等である。
【手続補正１０】
【補正対象書類名】図面
【補正対象項目名】図９
【補正方法】変更
【補正の内容】
【図９】
2021503833.tif 000107
【国際調査報告】
2021503833.tif 000108
2021503833.tif 000109
2021503833.tif 000110
2021503833.tif 000111